【手続補正書】
【提出日】平成23年1月26日(2011.1.26)
【手続補正１】
【補正対象書類名】特許請求の範囲
【補正対象項目名】全文
【補正方法】変更
【補正の内容】
【特許請求の範囲】
【請求項１】
熱可塑性高分子量アクリル材料（ＨＭＷＡ）および熱可塑性低分子量アクリル材料（ＬＭＷＡ）の溶融ブレンドを含有する実質的に衝撃改良剤のないアクリルポリマー組成物であるアクリルポリマー組成物であって、
前記ＨＭＷＡの全重量を基準にして、前記ＨＭＷＡの少なくとも７０％重量／重量はアルキル（アルク）アクリレート（コ）ポリマーからなり、前記（コ）ポリマーは、少なくとも８０％重量／重量の、Ｃ1〜Ｃ12アルキル（Ｃ1〜Ｃ8アルク）アクリレートモノマー単位から誘導される第１ポリマー単位と、任意選択で、前記アルキル（アルク）アクリレート（コ）ポリマーを基準にして２０％重量／重量までの、Ｃ1〜Ｃ12アルキル（Ｃ0〜Ｃ8アルク）アクリレートおよび／または（Ｃ0〜Ｃ8アルク）アクリル酸モノマー単位から誘導される第１コポリマー単位とからなり、前記ＨＭＷＡは、４０キロダルトン〜１０００キロダルトンの重量平均分子量を有し、
前記ＬＭＷＡの全重量を基準にして前記ＬＭＷＡの少なくとも７０％重量／重量はアルキル（アルク）アクリレート（コ）ポリマーからなり、前記（コ）ポリマーは、少なくとも８０％重量／重量の、Ｃ1〜Ｃ12アルキル（Ｃ1〜Ｃ8アルク）アクリレートモノマー単位から誘導される第２ポリマー単位と、任意選択で、前記アルキル（アルク）アクリレート（コ）ポリマーを基準にして２０％重量／重量までの、Ｃ1〜Ｃ12アルキル（Ｃ0〜Ｃ8アルク）アクリレートおよび／または（Ｃ0〜Ｃ8アルク）アクリル酸モノマー単位から誘導される第２コポリマー単位とからなり、前記ＬＭＷＡは、からみ合い分子量（Ｍｅ）（キロダルトンで表される）と２５０キロダルトンとの間の重量平均分子量を有し、
前記ＨＭＷＡは前記ＬＭＷＡよりも高いＭｗを有し、前記ＨＭＷＡの前記第１ポリマー単位と前記ＬＭＷＡの前記第２ポリマー単位が同じであるアクリルポリマー組成物。
【請求項２】
ａ．請求項１に記載のアクリルポリマー組成物と、
ｂ．適当な溶剤と
を含有するアクリル組成物。
【請求項３】
ａ）熱可塑性高分子量アクリル材料（ＨＭＷＡ）と熱可塑性低分子量アクリル材料（ＬＭＷＡ）とを接触させる工程と、
ｂ）前記ＨＭＷＡおよびＬＭＷＡを、溶融ブレンドが生成されるまで高温で混合する工程と
からなり、前記高温が前記ＨＭＷＡおよびＬＭＷＡの両方のガラス転移温度よりも高い、アクリルポリマー組成物の製造方法。
【請求項４】
前記ＬＭＷＡとブレンドされていない前記ＨＭＷＡと比較して、より高いＭＦＩ溶融ブレンド組成物または成形ポリマー製品を得るための、請求項１乃至３のいずれかに記載のアクリルポリマー組成物の使用方法。
【請求項５】
前記ＨＭＷＡの前記第１ポリマー単位と前記ＬＭＷＡの前記第２ポリマー単位が同じである、請求項３に記載の方法。
【請求項６】
前記第１コポリマー単位および前記第２コポリマー単位が同じである、請求項１乃至５のいずれかに記載の組成物、方法または使用方法。
【請求項７】
前記第１ポリマー単位：第１コポリマー単位の重量比が、第２ポリマー単位：第２コポリマー単位の前記比の±３０％以内である、請求項１乃至６のいずれかに記載の組成物、方法または使用方法。
【請求項８】
前記組成物におけるＨＭＷＡ：ＬＭＷＡの重量比が１：１を超える、請求項１乃至７のいずれかに記載の組成物、方法または使用方法。
【請求項９】
前記アクリルポリマー組成物が、前記アクリルポリマー組成物の重量を基準にして、５５％重量／重量までのＬＭＷＡおよび少なくとも４０％重量／重量のＨＭＷＡを含む、請求項１乃至８のいずれかに記載の組成物、方法または使用方法。
【請求項１０】
前記溶融ブレンドが均質な溶融ブレンドである、請求項１乃至９のいずれかに記載の組成物、方法または使用方法。
【請求項１１】
前記組成物が、前記ＬＭＷＡより大きいが前記その他のＨＭＷＡ成分より小さいかまたは大きい重量平均分子量を有する第２または更なるＨＭＷＡ成分（前記第１ＨＭＷＡと同じ方法で定義される）を任意選択で含む、請求項１乃至１０のいずれかに記載の組成物、方法または使用方法。
【請求項１２】
前記第２または更なる成分が、前記アクリルポリマー組成物を基準にして、少なくとも５％重量／重量の水準で存在する、請求項１１に記載の組成物、方法または使用方法。
【請求項１３】
前記第２または更なるＨＭＷＡが、前記第１ＨＭＷＡ成分よりも小さい重量平均分子量（Ｍｗ）を有する、請求項１１または１２に記載の組成物、方法または使用方法。
【請求項１４】
前記ＨＭＷＡの前記第１ポリマー単位と前記第２または更なるＨＭＷＡの第３または更なるポリマー単位とが同じである、請求項１１乃至１３のいずれかに記載の組成物、方法または使用方法。
【請求項１５】
前記第１コポリマー単位と第３コポリマー単位が同じである、請求項１１乃至１４のいずれかに記載の組成物、方法または使用方法。
【請求項１６】
前記第１ポリマー単位：第１コポリマー単位の比が、前記第３ポリマー単位：第３コポリマー単位の比の±３０％以内である、請求項１１乃至１５のいずれかに記載の組成物、方法または使用方法。
【請求項１７】
存在する場合、前記第２または更なるＨＭＷＡ成分を含む前記ＨＭＷＡが、前記アクリル
ポリマー組成物の全重量を基準にして、９９％重量／重量までの水準で存在する、請求項１乃至１６のいずれかに記載の組成物、方法または使用方法。
【請求項１８】
前記ＬＭＷＡが、前記アクリルポリマー組成物の全重量を基準にして、少なくとも１％重量／重量の水準で存在する、請求項１乃至１７のいずれかに記載の組成物、方法または使用方法。
【請求項１９】
前記ＬＭＷＡが、１１キロダルトンを超える重量平均分子量（Ｍｗ）を有する、請求項１乃至１８のいずれかに記載の組成物、方法または使用方法。
【請求項２０】
前記溶剤（ｂ）：ポリマー（ａ）比（重量／重量）が、１０：９０〜６０：４０である、請求項２乃至１９のいずれかに記載のアクリル組成物。
【請求項２１】
高Ｔｇ溶融ブレンド組成物または成形ポリマー製品を得るための、請求項１乃至２０のいずれかに記載のアクリル組成物の使用方法。
【請求項２２】
ａ．請求項１乃至２１に記載の前記アクリルポリマー組成物に基づくベースポリマーと、
ｂ．コア−シェル衝撃改良剤と
を含有する衝撃改良アクリルポリマー組成物。
【請求項２３】
（ａ）：（ｂ）の重量／重量比が、３０：７０〜９０：１０である、請求項２２に記載の衝撃改良アクリルポリマー組成物。
【請求項２４】
厚肉成形および脱型方法における、請求項１、２、４、および６〜２３のいずれかに記載の組成物の使用方法。
【請求項２５】
請求項１、２、４、および６〜２３のいずれかに記載の前記組成物の厚肉成形物。
【請求項２６】
請求項１、２、４、および６〜２３のいずれかに記載のアクリルポリマー組成物からなる成形ポリマー製品。
【請求項２７】
前記ＨＭＷＡ：ＬＭＷＡ比が少なくとも６：５である、請求項８乃至２６のいずれかに記載の組成物、方法または使用方法。
【請求項２８】
前記ＨＭＷＡおよびＬＭＷＡが、一緒になって、前記アクリルポリマー組成物のアクリルモノマー誘導成分の実質的に１００％重量／重量を形成する、請求項１乃至２７のいずれかに記載の組成物、方法または使用方法。
【請求項２９】
前記ＨＭＷＡおよびＬＭＷＡが、一緒になって、前記アクリルポリマー組成物の実質的に１００％重量／重量を形成する、請求項１乃至２８のいずれかに記載の組成物、方法または使用方法。
【請求項３０】
前記アクリルポリマー組成物の残部が適当な添加剤からなる、請求項１乃至２８のいずれかに記載の組成物、方法または使用方法。
【請求項３１】
次の別々の成分、
１．ａ）請求項１に記載のＨＭＷＡ、
ｂ）請求項１に記載のＬＭＷＡ、および
ｃ）コア−シェル衝撃改良剤、または
２．ａ）請求項３に記載のＨＭＷＡ、および
ｂ）コア−シェル衝撃改良剤と予備ブレンドされた請求項１に記載のＬＭＷＡ、または
３．ａ）請求項１によりブレンドされたＨＭＷＡおよびＬＭＷＡ、および
ｂ）コア−シェル衝撃改良剤、
を単一溶融ブレンド工程で溶融ブレンドする工程
からなる、請求項２２または２３に記載の衝撃改良アクリルポリマー組成物の溶融ブレンド方法。
【請求項３２】
サイクル時間減少組成物としての請求項１，２，４，６−２３，および２７−３０のいずれかに記載の組成物の使用方法。
【請求項３３】
冷却サイクル時間減少組成物としての１，２，４，６−２３，および２７−３０のいずれかに記載の組成物の使用方法。
【請求項３４】
請求項１，２，４，６−２３，２７−３０のいずれかに記載の組成物を含むサイクル時間減少成形組成物。
【請求項３５】
請求項１，２，４，６−２３，２７−３０のいずれかに記載の組成物を含む冷却時間減少成形組成物。
【請求項３６】
成形組成物のサイクル時間を減少させる方法であって、
請求項１，２，４，６−２３，２７−３０のいずれかに記載の組成物を射出成形または押し出し成形する工程からなる方法。
【請求項３７】
成形組成物の冷却サイクル時間を減少させる方法であって、
請求項１，２，４，６−２３，２７−３０のいずれかに記載の組成物を射出成形または押し出し成形する工程からなる方法。